(57)【要約】【課題】   躯体開口部９にサッシ１１を設置しても、十分な室内空間を確保すること。【解決手段】  全てのタイル７のうちのサッシ１１の上側近傍に位置する第１水切りタイル７Ｂの表面は、下側に向かって拡がるように垂直方向に対して傾斜した傾斜面になっており、第１水切りタイル７Ｂの下端面に、タイル幅方向へ延びた水切り溝１７が形成され、第１水切りタイル７Ｂにおける水切り溝１７は、サッシ１１におけるサッシ枠１９よりも外方向へ突出するように構成されたこと。【選択図】    図１
2006052597.tif 000002
【特許請求の範囲】
【請求項１】
外壁下地と；
前記外壁下地に設けられたタイルと；を具備してあって、
全てのタイルのうちのサッシの上側近傍に位置するタイル（以下、水切りタイルという）の表面は、下側に向かって拡がるように垂直方向に対して傾斜した傾斜面になっており、
前記水切りタイルの下端面に、タイル幅方向へ延びた水切り溝が形成され、前記水切りタイルにおける前記水切り溝は、前記サッシにおけるサッシ枠よりも外方向へ突出するように構成されたことを特徴とする建築物の外壁構造。
【請求項２】
全てのタイルのうち前記サッシの上側近傍から外れた領域に位置する一部のタイル（以下、別の水切りタイルという）の表面は、下側に向かって拡がるように垂直方向に対して傾斜した傾斜面になっており、
前記別の水切りタイルの下端面に、タイル幅方向へ延びた水切り溝が形成され、前記別の水切りタイルにおける前記水切り溝は、前記別の水切りタイルの下側近傍に位置する前記タイルの上端面よりも外方向へ突出するように構成されたことを特徴とする請求項１に記載の建築物の外壁構造。
【請求項３】
建築物の外壁構造に用いられる水切りタイルにおいて、
表面は、下に向かって拡がるように縦方向に対して傾斜した傾斜面になっており、
下端面に、横方向へ延びた水切り溝が形成されたことを特徴とする水切りタイル。
【発明の詳細な説明】
【技術分野】
【０００１】
本発明は、マンション、一戸建て住宅等の建築物の外壁構造、及び建築物の外壁構造に用いられる水切りタイルに関する。
【背景技術】
【０００２】
マンション等の建築物の外壁構造に十分な質感を与えるために、前記建築物の外壁構造には仕上げ材としてタイルが用いられる。また、前記建築物の躯体開口部には、サッシが設置されている。
【０００３】
なお、本発明に関連する先行技術として特許文献１、特許文献２、特許文献３に示すものがある。            
【特許文献１】特開２０００−１８６４１３号公報
【特許文献２】特開平１０−２３１６０６号公報
【特許文献３】特開２００２−１３２７５号公報
【発明の開示】
【発明が解決しようとする課題】
【０００４】
ところで、前記タイルに沿って下方向へ流れる雨水が前記サッシ側へ侵入しないようにするため、前記サッシを前記タイルの表面よりも大きく室内側へ入り込むように前記躯体開口部に設置する必要がある。そのため、前記サッシの設置によって室内空間が狭くなり、限られた建築面積の中で室内空間を有効利用することが困難になるという問題がある。
【課題を解決するための手段】
【０００５】
請求項１に記載の発明にあっては、外壁下地と；
前記外壁下地に設けられたタイルと；を具備してあって、
全てのタイルのうちサッシの上側近傍に位置するタイル（以下、水切りタイルという）の表面は、下側に向かって拡がるように垂直方向に対して傾斜した傾斜面になっており、
前記水切りタイルの下端面に、タイル幅方向へ延びた水切り溝が形成され、前記水切りタイルにおける前記水切り溝は、前記サッシにおけるサッシ枠よりも外方向へ突出するように構成されたことを特徴とする。
【０００６】
請求項１に記載の発明特定事項によると、前記水切りタイルの下端面には前記水切り溝が形成され、前記水切りタイルにおける前記水切り溝は前記サッシ枠よりも外方向へ突出するように構成されているため、前記サッシを前記タイルの表面よりも大きく室内側へ入り込むように設置することなく、前記タイルに沿って下方向へ流れる雨水が前記サッシ側へ侵入することを抑えることができる。
【０００７】
請求項２に記載の発明にあっては、請求項１に記載の発明特定事項の他に、全てのタイルのうち前記サッシの上側近傍から外れた領域に位置する一部のタイル（以下、別の水切りタイルという）の表面は、下側に向かって拡がるように垂直方向に対して傾斜した傾斜面になっており、
前記別の水切りタイルの下端面に、タイル幅方向へ延びた水切り溝が形成され、前記別の水切りタイルにおける前記水切り溝は、前記別の水切りタイルの下側近傍に位置する前記タイルの上端面よりも外方向へ突出するように構成されたことを特徴とする。
【０００８】
請求項２に記載の発明特定事項によると、請求項１に記載の発明特定事項による作用の他に、前記別の水切りタイルの下端面に前記水切り溝が形成され、前記別の水切りタイルにおける前記水切り溝は前記別の水切りタイルの下側近傍に位置する前記タイルの上端面よりも外方向へ突出するように構成されているため、前記水切りタイル以外にも、前記別の水切りタイルによって水切りが行われ、前記タイルに雨水が付着することを抑えることができる。
【０００９】
請求項３に記載の発明にあっては、建築物の外壁構造に用いられる水切りタイルにおいて、
表面は、下に向かって拡がるように縦方向に対して傾斜した傾斜面になっており、
下端面に、横方向へ延びた水切り溝が形成されたことを特徴とする。
【００１０】
請求項３に記載の発明特定事項によると、前記水切りタイルを前記建築物の外壁構造に用いた場合には、請求項１に記載の発明特定事項による作用と同様の作用を奏する。
【発明の効果】
【００１１】
請求項１から請求項３に記載の発明によれば、前記サッシを前記タイルの表面よりも大きく室内側へ入り込むように設置することなく、前記タイルに沿って下方向へ流れる雨水が前記サッシ側へ侵入することを抑えることができるため、前記躯体開口部に前記サッシを設置しても、十分な室内空間を確保することができ、限られた建築面積の中で室内空間を容易に有効利用することができる。
【００１２】
また、請求項２に記載の発明によれば、前記水切りタイル以外にも、前記別の水切りタイルによって水切りが行われ、前記タイルに雨水が付着することを抑えることができるため、雨天時においても前記建築物の外壁構造の見栄えが損なわれることがない。
【発明を実施するための最良の形態】
【００１３】
本発明の実施形態について図１から図４を参照して説明する。
【００１４】
ここで、図１は、図４におけるI-I線に沿った図であって、図２は、図４におけるII-II線に沿った図であって、図３は、本発明の実施形態に係わる第１水切りタイル又は第２水切りタイルの斜視図であって、図４は、本発明の実施形態に係わる建築物の外壁構造の一部を示す図である。なお、「上下」とは、図中において上下のことをいう。
【００１５】
図１から図３に示すように、本発明の実施形態に係わる建築物の外壁構造１は、マンション、一戸建て住宅等の建築物の構造の１つであって、コンクリートからなる外壁下地としての壁躯体３と、この壁躯体（外壁下地）３に接着剤５によって張設された陶器製のタイル７とを具備している。なお、壁躯体３の代わりに、適宜のパネルを外壁下地として用いても差し支えない。
【００１６】
そして、建築物の外壁構造１における全てのタイル７は、通常のタイル７Ａと、第１水切りタイル７Ｂと、第２水切りタイル７Ｃとに分類される。ここで、第１水切りタイル７Ｂは、壁躯体３の躯体開口部９に設置したサッシ１１の上側近傍に位置するタイル７であって、第２水切りタイル７Ｃは、サッシ１１の上側近傍から水平方向へ外れた領域に位置するタイル７であって、通常のタイル７Ａは、第１水切りタイル７Ｂ及び第２水切りタイル７Ｃ以外のタイルである。
【００１７】
通常のタイル７Ａ、第１水切りタイル７Ｂ、及び第２水切りタイル７Ｃの具体的な構成は、次のようになる。
【００１８】
即ち、図１及び図２に示すように、通常のタイル７Ａの表面は、垂直になっており、十分な接着面積を確保するため、通常のタイル７Ａの裏面には、タイル幅方向（換言すれば、通常のタイルの横方向）へ延びた複数の接着溝１３が形成されている。
【００１９】
図１及び図３に示すように、第１水切りタイル７Ｂの表面は、下側に向かって拡がるように垂直方向（換言すれば、第１水切りタイル７Ｂの縦方向）に対して傾斜した傾斜面になっており、十分な接着面を確保するため、第１水切りタイル７Ｂの裏面には、タイル幅方向（換言すれば、第１水切りタイル７Ｂの横方向）へ延びた複数の接着あり溝１５が形成されている。そして、第１水切りタイル７Ｂの下端面には、タイル幅方向へ延びた水切り溝１７が形成されており、第１水切りタイル７Ｂにおける水切り溝１７は、サッシ１１におけるサッシ枠１９よりも外方向（図１において右方向）へ突出するように構成されている。
【００２０】
同様に、図２及び図３に示すように、第２水切りタイル７Ｃの表面は、下側に向かって拡がるように垂直方向（換言すれば、第２水切りタイル７Ｃの縦方向）に対して傾斜した傾斜面になっており、十分な接着面を確保するため、第２水切りタイル７Ｃの裏面には、タイル幅方向（換言すれば、第２水切りタイル７Ｃの横方向）へ延びた複数の接着あり溝２１が形成されている。そして、第２水切りタイル７Ｃの下端面には、タイル幅方向へ延びた水切り溝２３が形成されており、第２水切りタイル７Ｃにおける水切り溝２３は、第２水切りタイル７Ｃの下側近傍に位置するタイル７の上端面よりも外方向（図２において右方向）へ突出するように構成されている。
【００２１】
次に、本発明の実施形態の作用について説明する。
【００２２】
第１水切りタイル７Ｂの下端面には水切り溝１７が形成され、第１水切りタイル７Ｂにおける水切り溝１７はサッシ枠１９よりも外方向へ突出するように構成されているため、サッシ１１をタイル７の表面よりも大きく室内２５側へ入り込むように設置することなく、タイル７に沿って下方向へ流れる雨水がサッシ１１側へ侵入することを抑えることができる。
【００２３】
また、第２水切りタイル７Ｃの下端面に水切り溝２３が形成され、第２水切りタイル７Ｃにおける水切り溝２３は第２水切りタイル７Ｃの下側近傍に位置するタイル７の上端面よりも外方向へ突出するように構成されているため、第１水切りタイル７Ｂ以外にも、第２水切りタイル７Ｃによって水切りが行われ、タイル７に雨水が付着することを抑えることができる。
【００２４】
以上の如き、本発明の実施形態によれば、サッシ１１をタイル７の表面よりも大きく室内２５側へ入り込むように設置することなく、タイル７に沿って下方向へ流れる雨水がサッシ１１側へ侵入することを抑えることができるため、躯体開口部９にサッシ１１を設置しても、十分な室内空間を確保することができ、限られた建築面積の中で室内空間を容易に有効利用することができる。
【００２５】
また、第１水切りタイル７Ｂ以外にも、第２水切りタイル７Ｃによって水切りがなされ、タイル７に雨水が付着することを抑えることができるため、雨天時においても建築物の外壁構造１の見栄えが損なわれることがない。
【００２６】
なお、本発明は、前述の発明の実施形態の説明に限るものではなく、適宜の変更を行うことにより、その他種々の態様で実施可能である。
【図面の簡単な説明】
【００２７】
【図１】図４におけるI-I線に沿った図である。
【図２】図４におけるII-II線に沿った図である。
【図３】本発明の実施形態に係わる第１水切りタイル又は第２水切りタイルの斜視図である。
【図４】本発明の実施形態に係わる建築物の外壁構造の一部を示す図である。
【符号の説明】
【００２８】
１          建築物の外壁構造
３          壁躯体（外壁下地）
７          タイル
７Ａ        通常のタイル
７Ｂ        第１水切りタイル
７Ｃ        第２水切りタイル
９          躯体開口部
１１          サッシ
１７          水切り溝
１９          サッシ枠
２３          水切り溝
【図１】
2006052597.tif 000003
【図２】
2006052597.tif 000004
【図３】
2006052597.tif 000005
【図４】
2006052597.tif 000006